(57)【特許請求の範囲】
【請求項１】
テープ或いは接着剤等による接着層、
アルミホイル等輻射熱に対して高反射率の素材、
更には、前記アルミホイル等輻射熱に対して高反射率の素材の一の面に太陽光が当たったときの反射光を和らげる、印刷や塗装等によるプリント層或いは着色した輻射熱の高透過樹脂層等、
を順に密着させ、
前記接着層によって、前記アルミホイル等輻射熱に対して高反射率の素材の他の面を、貯湯タンク或いは空調機の室外機等屋外設備や屋根外壁等外装材の屋外側に、空気層が生じないように直接貼り付け、
前記印刷や塗装等によるプリント層或いは着色した輻射熱の高透過樹脂層と前記アルミホイル等輻射熱に対して高反射率の素材の一の面との間に空気層が生じないように積層させた、
ことを特徴とする屋外用遮熱材。
【請求項２】
テープ或いは接着剤等による接着層、
アルミホイル等輻射熱に対して高反射率の素材、
前記アルミホイル等輻射熱に対して高反射率の素材の一の面に取り付けられた不織布や樹脂製シート或いはガラスクロス等補強材、
更には、前記アルミホイル等輻射熱に対して高反射率の素材の他の面に太陽光が当たったときの反射光を和らげる、印刷や塗装等によるプリント層或いは着色した輻射熱の高透過樹脂層等、
を順に密着させ、
前記接着層によって、前記アルミホイル等輻射熱に対して高反射率の素材ならびに前記不織布や樹脂製シート或いはガラスクロス等補強材を、貯湯タンク或いは空調機の室外機等屋外設備や屋根外壁等外装材の屋外側に、空気層が生じないように直接貼り付け、
前記印刷や塗装等によるプリント層或いは着色した輻射熱の高透過樹脂層と前記アルミホイル等輻射熱に対して高反射率の素材の他の面との間に空気層が生じないように積層させた、
ことを特徴とする屋外用遮熱材。
【請求項３】
テープ或いは接着剤等による接着層、
第１のアルミホイル等輻射熱に対して高反射率の素材、
前記第１のアルミホイル等輻射熱に対して高反射率の素材の一の面に自身の一の面が取り付けられた不織布や樹脂製シート或いはガラスクロス等補強材、
前記不織物や樹脂製シート或いはガラスクロス等補強材の他の面が自身の一の面に取り付けられた第２のアルミホイル等輻射熱に対して高反射率の素材、
更には、前記第２のアルミホイル等輻射熱に対して高反射率の素材の他の面に積層され、前記第２のアルミホイル等輻射熱に対して高反射率の素材の他の面に太陽光が当たったときの反射光を和らげる、印刷や塗装等によるプリント層或いは着色した輻射熱の高透過樹脂層等、
を順に密着させ、
前記第１のアルミホイル等輻射熱に対して高反射率の素材の他の面は、
前記接着層によって、凹凸形状の屋根や外壁等外装材の屋外側の凸部と前記第１のアルミホイル等輻射熱に対して高反射率の素材との間に空気層が生じないように該凸部に密着され、
該第１のアルミホイル等輻射熱に対して高反射率の素材の他の面と前記凹凸形状の屋根や外壁等外装材の屋外側の凹部との間に空間が生じるように、
前記凹凸形状の屋根や外壁等外装材の屋外側に取り付けられる、
ことを特徴とする屋外用遮熱材。
【請求項４】
前記接着層の表面を覆う剥離紙を備えた、
ことを特徴とする請求項１から３のいずれか１項に記載の屋外用遮熱材。
【請求項５】
貯湯タンク或いは空調機の室外機等屋外設備や屋根外壁等外装材の屋外側に、
テープ或いは接着剤等による接着層、
アルミホイル等輻射熱に対して高反射率の素材、
更には、前記アルミホイル等輻射熱に対して高反射率の素材の一の面に太陽光が当たったときの反射光を和らげる、印刷や塗装等によるプリント層或いは着色した輻射熱の高透過樹脂層等、
を順に密着して取り付け、
前記接着層によって、前記アルミホイル等輻射熱に対して高反射率の素材の他の面を、前記貯湯タンク或いは空調機の室外機等屋外設備や屋根外壁等外装材の屋外側に、空気層が生じないように直接貼り付け、
前記印刷や塗装等によるプリント層或いは着色した輻射熱の高透過樹脂層と前記アルミホイル等輻射熱に対して高反射率の素材の一の面との間に空気層が生じないように積層させた、
ことを特徴とする屋外遮熱構造。
【請求項６】
貯湯タンク或いは空調機の室外機等屋外設備や屋根外壁等外装材の屋外側に、
テープ或いは接着材等による接着層、
アルミホイル等輻射熱に対して高反射率の素材、
前記アルミホイル等輻射熱に対して高反射率の素材の一の面に取り付けられた不織布や樹脂製シート或いはガラスクロス等補強材、
更には、前記アルミホイル等輻射熱に対して高反射率の素材の他の面に太陽光が当たったときの反射光を和らげる、印刷や塗装等によるプリント層或いは着色した輻射熱の高透過樹脂層等、
を順に密着して取り付け、
前記接着層によって、前記アルミホイル等輻射熱に対して高反射率の素材ならびに前記不織布や樹脂製シート或いはガラスクロス等補強材を、前記貯湯タンク或いは空調機の室外機等屋外設備や屋根外壁等外装材の屋外側に、空気層が生じないように直接貼り付け、
前記印刷や塗装等によるプリント層或いは着色した輻射熱の高透過樹脂層と前記アルミホイル等輻射熱に対して高反射率の素材の他の面との間に空気層が生じないように積層させた、
ことを特徴とする屋外遮熱構造。
【請求項７】
凹凸形状の屋根や外壁等外装材の屋外側の凸部に、
テープ或いは接着剤等による接着層、
第１のアルミホイル等輻射熱に対して高反射率の素材、
前記第１のアルミホイル等輻射熱に対して高反射率の素材の一の面に自身の一の面が取り付けられた不織布や樹脂製シート或いはガラスクロス等補強材、
前記不織物や樹脂製シート或いはガラスクロス等補強材の他の面が自身の一の面に取り付けられた第２のアルミホイル等輻射熱に対して高反射率の素材、
更には、前記第２のアルミホイル等輻射熱に対して高反射率の素材の他の面に積層され、前記第２のアルミホイル等輻射熱に対して高反射率の素材の他の面に太陽光が当たったときの反射光を和らげる、印刷や塗装等によるプリント層或いは着色した輻射熱の高透過樹脂層等、
を順に密着させ、
前記第１のアルミホイル等輻射熱に対して高反射率の素材の他の面は、
前記接着層によって、前記凹凸形状の屋根や外壁等外装材の屋外側の凸部と前記第１のアルミホイル等輻射熱に対して高反射率の素材との間に空気層が生じないように該凸部に密着され、
該第１のアルミホイル等輻射熱に対して高反射率の素材の他の面と前記凹凸形状の屋根や外壁等外装材の屋外側の凹部との間に空間が生じるように、
前記凹凸形状の屋根や外壁等外装材の屋外側に取り付けられる、
ことを特徴とする屋外遮熱構造。
【発明の詳細な説明】
【技術分野】
【０００１】
本発明は、建物の屋根や外壁等の屋外側に遮熱材を貼ることにより、室内の空調負荷を大幅に削減するものである。
又、屋外にある貯水タンクや給湯設備或いは空調機の室外機の屋外側に施工する事により、保温性能の向上や設備の性能アップに貢献するものである。
【背景技術】
【０００２】
建物の屋根や外壁等外装材或いは設備等に、省エネルギーを目的に遮熱塗装が施されている。
建物や外壁材の室内側には、アルミホイル等輻射熱に対して高反射率の素材を施工し、冷暖房費の削減が進んでいる。
【先行技術文献】
【特許文献】
【０００３】
【特許文献１】特開２０１４−４３７６２号公報
【特許文献２】特開２０１４−１４８８８８号公報
【発明の概要】
【発明が解決しようとする課題】
【０００４】
その為次のような問題があった。
近年、工場や大型店舗の屋根や外壁に、遮熱塗装をする建物が増えてきた。これは、屋外から建物に侵入する熱の最も多いのが輻射熱で、これを反射する目的で施工する。ところが、遮熱塗装の反射率は６０〜８０パーセント程度で、省エネルギー効果はそれほど大きくはない。性能を向上させる為には、重ね塗りして厚みを増すことが重要であるが、価格が上がり費用対効果が小さくなることや厚さが増すと屋根材等との熱膨張の違いから割れ等が生ずる結果にもなる。
【０００５】
又、経年変化が大きく、５年から１０年で再度塗り替えなければならない問題がある。
大型建物の屋根や外壁の室内側に、遮熱材を施工して省エネルギーを行う遮熱工事が急速に増えてきている。
これまで、遮熱材は輻射熱を反射するもので、建物の様な夏と冬では或いは昼と夜では熱の移動方向が変わるものでは、遮熱材の両面に反射空気層が必要であるとされてきた。この為、例えば屋根の下側に施工する場合、軽天材等で天井を作り、軽天材にビス止めする様な方法で施工されてきた。しかし、この工法であると費用が大幅に掛かる事と工事期間が長期に掛るという問題があった。
【０００６】
近年、屋根材や外壁材の室内側に両面テープや接着剤で遮熱材を直接貼る方法が開発され急速に増加傾向にある。
しかし、工場の屋根は高さが高い事や室内には多くの設備があり、足場をかける費用が遮熱施工費を遥かに大きくなり、結果的には費用対効果の問題で断念する施主も多い。又、室内作業の為、設備を停止して施工する必要が出る場合もあり生産減になるという問題もある。
本発明は、これらの問題を解決する為になされたものである。
【課題を解決するための手段】
【０００７】
本発明に係る屋外用遮熱材は、テープ或いは接着剤等による接着層、アルミホイル等輻射熱に対して高反射率の素材、更には、前記アルミホイル等輻射熱に対して高反射率の素材の一の面に太陽光が当たったときの反射光を和らげる、印刷や塗装等によるプリント層或いは着色した輻射熱の高透過樹脂層等を順に密着させ、前記接着層によって、前記アルミホイル等輻射熱に対して高反射率の素材の他の面を、貯湯タンク或いは空調機の室外機等屋外設備や屋根外壁等外装材の屋外側に、空気層が生じないように直接貼り付け、前記印刷や塗装等によるプリント層或いは着色した輻射熱の高透過樹脂層と前記アルミホイル等輻射熱に対して高反射率の素材の一の面との間に空気層が生じないように積層させたことを特徴とする。
【０００８】
また、テープ或いは接着剤等による接着層、アルミホイル等輻射熱に対して高反射率の素材、前記アルミホイル等輻射熱に対して高反射率の素材の一の面に取り付けられた不織布や樹脂製シート或いはガラスクロス等補強材、更には、前記アルミホイル等輻射熱に対して高反射率の素材の他の面に太陽光が当たったときの反射光を和らげる、印刷や塗装等によるプリント層或いは着色した輻射熱の高透過樹脂層等を順に密着させ、前記接着層によって、前記アルミホイル等輻射熱に対して高反射率の素材ならびに前記不織布や樹脂製シート或いはガラスクロス等補強材を、貯湯タンク或いは空調機の室外機等屋外設備や屋根外壁等外装材の屋外側に、空気層が生じないように直接貼り付け、前記印刷や塗装等によるプリント層或いは着色した輻射熱の高透過樹脂層と前記アルミホイル等輻射熱に対して高反射率の素材の他の面との間に空気層が生じないように積層させたことを特徴とする。
【０００９】
また、テープ或いは接着剤等による接着層、第１のアルミホイル等輻射熱に対して高反射率の素材、前記第１のアルミホイル等輻射熱に対して高反射率の素材の一の面に自身の一の面が取り付けられた不織布や樹脂製シート或いはガラスクロス等補強材、
前記不織物や樹脂製シート或いはガラスクロス等補強材の他の面が自身の一の面に取り付けられた第２のアルミホイル等輻射熱に対して高反射率の素材、更には、前記第２のアルミホイル等輻射熱に対して高反射率の素材の他の面に積層され、前記第２のアルミホイル等輻射熱に対して高反射率の素材の他の面に太陽光が当たったときの反射光を和らげる、印刷や塗装等によるプリント層或いは着色した輻射熱の高透過樹脂層等を順に密着させ、前記第１のアルミホイル等輻射熱に対して高反射率の素材の他の面は、前記接着層によって、凹凸形状の屋根や外壁等外装材の屋外側の凸部と前記第１のアルミホイル等輻射熱に対して高反射率の素材との間に空気層が生じないように該凸部に密着され、該第１のアルミホイル等輻射熱に対して高反射率の素材の他の面と前記凹凸形状の屋根や外壁等外装材の屋外側の凹部との間に空間が生じるように、前記凹凸形状の屋根や外壁等外装材の屋外側に取り付けられることを特徴とする。
【００１０】
また、前記接着層の表面を覆う剥離紙を備えたことを特徴とする。
【００１１】
本発明に係る屋外遮熱構造は、貯湯タンク或いは空調機の室外機等屋外設備や屋根外壁等外装材の屋外側に、テープ或いは接着剤等による接着層、アルミホイル等輻射熱に対して高反射率の素材、更には、前記アルミホイル等輻射熱に対して高反射率の素材の一の面に太陽光が当たったときの反射光を和らげる、印刷や塗装等によるプリント層或いは着色した輻射熱の高透過樹脂層等を順に密着して取り付け、前記接着層によって、前記アルミホイル等輻射熱に対して高反射率の素材の他の面を、前記貯湯タンク或いは空調機の室外機等屋外設備や屋根外壁等外装材の屋外側に、空気層が生じないように直接貼り付け、前記印刷や塗装等によるプリント層或いは着色した輻射熱の高透過樹脂層と前記アルミホイル等輻射熱に対して高反射率の素材の一の面との間に空気層が生じないように積層させたことを特徴とする。
【００１２】
また、貯湯タンク或いは空調機の室外機等屋外設備や屋根外壁等外装材の屋外側に、テープ或いは接着材等による接着層、アルミホイル等輻射熱に対して高反射率の素材、
前記アルミホイル等輻射熱に対して高反射率の素材の一の面に取り付けられた不織布や樹脂製シート或いはガラスクロス等補強材、更には、前記アルミホイル等輻射熱に対して高反射率の素材の他の面に太陽光が当たったときの反射光を和らげる、印刷や塗装等によるプリント層或いは着色した輻射熱の高透過樹脂層等を順に密着して取り付け、前記接着層によって、前記アルミホイル等輻射熱に対して高反射率の素材ならびに前記不織布や樹脂製シート或いはガラスクロス等補強材を、前記貯湯タンク或いは空調機の室外機等屋外設備や屋根外壁等外装材の屋外側に、空気層が生じないように直接貼り付け、前記印刷や塗装等によるプリント層或いは着色した輻射熱の高透過樹脂層と前記アルミホイル等輻射熱に対して高反射率の素材の他の面との間に空気層が生じないように積層させたことを特徴とする。
【００１３】
また、凹凸形状の屋根や外壁等外装材の屋外側の凸部に、テープ或いは接着剤等による接着層、第１のアルミホイル等輻射熱に対して高反射率の素材、前記第１のアルミホイル等輻射熱に対して高反射率の素材の一の面に自身の一の面が取り付けられた不織布や樹脂製シート或いはガラスクロス等補強材、前記不織物や樹脂製シート或いはガラスクロス等補強材の他の面が自身の一の面に取り付けられた第２のアルミホイル等輻射熱に対して高反射率の素材、更には、前記第２のアルミホイル等輻射熱に対して高反射率の素材の他の面に積層され、前記第２のアルミホイル等輻射熱に対して高反射率の素材の他の面に太陽光が当たったときの反射光を和らげる、印刷や塗装等によるプリント層或いは着色した輻射熱の高透過樹脂層等を順に密着させ、前記第１のアルミホイル等輻射熱に対して高反射率の素材の他の面は、前記接着層によって、前記凹凸形状の屋根や外壁等外装材の屋外側の凸部と前記第１のアルミホイル等輻射熱に対して高反射率の素材との間に空気層が生じないように該凸部に密着され、該第１のアルミホイル等輻射熱に対して高反射率の素材の他の面と前記凹凸形状の屋根や外壁等外装材の屋外側の凹部との間に空間が生じるように、前記凹凸形状の屋根や外壁等外装材の屋外側に取り付けられることを特徴とする。
【発明の効果】
【００１４】
これまで、屋外に遮熱施工は出来なかったので屋外側は主として遮熱塗装であったが、今回の発明で大型建物の省エネルギー化が急速に進むと考えられる。
又、屋外設置の貯湯タンクや水タンク、或いは空調機の室外機、更にはコンテナ等あらゆる設備の省エネルギーに対応可能である。
工場等天井の高い建物では足場経費が少なくて済み、施工コストが大幅に削減できる。
屋根に輻射熱の高透過樹脂層等を使用する場合、遮熱材自体の耐久性が１０年以上にわたる為、屋根材の耐久性向上にもつながる。
屋外にある種々のタンクや空調機の室外機等あらゆる設備に使用可能となり、今後このような設備でも大きなエネルギー削減が期待できる。
【図面の簡単な説明】
【００１５】
【図１】剥離紙を取り付けた屋外用遮熱材の斜視図である。
【図２】折板屋根材に屋外用遮熱材を施工した斜視図である。
【図３】折板屋根材の天端に屋外用遮熱材を施工した斜視図である。
【発明を実施するための形態】
【００１６】
以下、本発明を実施するための最良の形態について説明する。
【実施例】
【００１７】
屋外から建物には、伝導熱、対流熱、輻射熱の３つの形態で熱伝達される。このうち、熱量の最も多いのは輻射熱であり、米国の多くの機関の報告としてその量は全伝達熱の７５％と報告されている。
この輻射熱を阻止する方法は、アルミホイル等輻射熱に対して高反射率の素材３で反射させることが有効であることが知られている。即ち、建物等の屋外に施工すれば輻射熱を大幅カットすることが出来、大幅な省エネルギー効果を生むことが出来る。
しかし、高反射率とは太陽光をそのまま反射する鏡に匹敵する訳で、反射により人間の目を傷める等問題が生じる為これまで使用することは出来なかった。
【００１８】
本発明は、屋外でも使用出来る屋外用遮熱材１及び屋外遮熱構造を提案する。
貯湯タンクや空調機の室外機等屋外設備や屋根外壁等外装材の屋外側に、テープ或いは接着剤等による接着層５、アルミホイル等輻射熱に対して高反射率の素材３、更には印刷や塗装等によるプリント層或いは着色した輻射熱の高透過樹脂層等２を順に密着して取り付けた屋外用遮熱材１及び屋外遮熱構造である。
【００１９】
これまで、アルミホイル等輻射熱に対して高反射率の素材３の性能を生かすには、少なくとも片面に空気層が必要であると考えられていた。しかし、本発明は片面を金属製の屋根や外壁或いはコンクリート等に直貼りし、屋外側には印刷や塗装等によるプリント層或いは着色した輻射熱の高透過樹脂層等２が施工されていて、両面とも空気層を持たない構造であるのが最大の特徴である。
更に、アルミホイル等輻射熱に対して高反射率の素材３は金属製の板材で、屋根や外壁等外装材に直貼りするのもこれまでにない構造である。
ここで重要なのは、アルミホイル等輻射熱に対して高反射率の素材３の反射性能を活かしつつ、且つ表面では着色等により目に優しい色合いにしていることである。
【００２０】
印刷や塗装等によるプリント層は、アルミホイル等輻射熱に対して高反射率の素材の表面に直接施工する事が可能であり、厚みも薄く反射性能も十分確保できる。又、印刷に使用するインクや塗料等は、極力樹脂量の少ないものを選ぶ必要がある。
印刷や塗装等によるプリント層の代わりに、塩ビフィルム等輻射熱の高透過樹脂層等を使用することも出来る。屋外に使用するので、青や緑等着色により目に優しい環境を作り出す。ただ、輻射熱の反射性能を向上させるには輻射熱の高透過樹脂層等の厚みは極力薄くすることが大切である。
【００２１】
印刷や塗装等によるプリント層は自由な絵柄を作ることが出来るが、屋外は紫外線や雨等により耐久性が懸念される場合がある。この場合は、印刷や塗装等によるプリント層の屋外側に塩ビフィルム等輻射熱の高透過樹脂層等を施工すると、装飾と耐久性を兼ね備えたものとすることが出来る。
アルミホイル等輻射熱に対して高反射率の素材３と屋根や外壁材等外装材とは、接着剤等により貼り付ける。アルミホイル等輻射熱に対して高反射率の素材は電食により腐食してしまう恐れがあるが、接着層を厚めにしかも均一にすればこれを防止することが可能である。
【００２２】
遮熱材として製作する場合は、アルミホイル等輻射熱に対して高反射率の素材３の片面に、印刷や塗装等によるプリント層或いは着色した輻射熱の高透過樹脂層等２を取り付け、もう片面には不織布や樹脂製シート或いはガラスクロス等補強材４を取り付けば良い。不織布や樹脂製シート或いはガラスクロス等補強材４を貼ることにより、遮熱材自体に厚みが増し作業性が向上するばかりでなく断熱性も向上する。更に、アルミホイル等輻射熱に対して高反射率の素材３にとって最も危険な電食防止効果も向上する。
更に、現場施工を効率化するため、前記遮熱材の不織布や樹脂製シート或いはガラスクロス等補強材４の外側に、糊等による接着層５と剥離紙６を取り付ける事を提案する。
【００２３】
構造は、印刷や塗装等によるプリント層或いは着色した輻射熱の高透過樹脂層等２、アルミホイル等輻射熱に対して高反射率の素材３、不織布や樹脂シート或いはガラスクロス等補強材４、糊等の接着層５、剥離紙６の順に密着して取り付ける。
剥離紙６を剥がし、不織布や樹脂シート等或いはガラスクロス等補強材４側を屋根材や外壁材等外装材に取り付ければ良く、短時間で施工可能であり特殊な設備も必要が無い事もメリットである。
【００２４】
本発明は、既設の折板屋根材７等凹凸のある素材の凸部８にのみに屋外用遮熱材１を接着させる構造を提案する。即ち、屋外用遮熱材１は、凸部８は密着させ凹部９は空間を持たせる様に取り付ける方法である。
施工面積が床面積と同じになり、施工価格が大幅に削減できるメリットがある一方、凹部９である空間部分に上部から荷重がかかると破損しやすいので、歩廊等を設置する必要がある。
【００２５】
折板屋根材７や角波材等凹凸素材の凸部８にフラットに直貼りする場合、凸部８は遮熱材と直接接するが凹部９には空気層が出来る。この空気層は、遮熱材の放射率を減少させることが出来るので、この面にもアルミホイル等輻射熱に対して高反射率の素材３を施工する事が望ましい。この場合は、折板屋根材７や角波材等の屋外側にテープ或いは接着剤等による接着層５、アルミホイル等輻射熱に対して高反射率の素材３、不織布や樹脂製シート或いはガラスクロス等補強材４、アルミホイル等輻射熱に対して高反射率の素材３、更には印刷や塗装等によるプリント層或いは着色した輻射熱の高透過樹脂層等２を順に密着して取り付けた屋外用遮熱材１及び屋外遮熱構造である。
【００２６】
アルミホイル等輻射熱に対して高反射率の素材３が二層になるが、構造的に丈夫で作業性も良く、しかも性能も向上する。
新規の屋根材や外壁材等外装材に施工するには、平板に前述の屋外用遮熱材１を貼り、接着面が安定したらそのまま既存の成型機を通せば、屋外用遮熱材１付き外装材が製造可能である。
屋外用遮熱材１は、軒側から棟方向に屋根流れに向かって順次貼っていく。屋外用遮熱材１の接続部は、軒側が屋根面になるように数センチ重ねて貼ってゆく。
【００２７】
又、山谷のある場合、屋外用遮熱材の端部は必ず下向になるようにする。もし、下向にならない場合は、山側から別の遮熱材で被せる様にする。
勿論、屋外用遮熱材１の端部はコーキングするが、万一コーキングが切れても雨や水が屋外用遮熱材の小口に侵入しないようにして置くことが大切である。又、折板屋根材７等の山部には屋根固定用のボルトがあるが、塗装工事等で一般的に使用されているコーキングを詰めたプラスチックキャップ等を屋外側から取り付ければ雨水対策も十分である。
【００２８】
[遮熱試験１]
１０００Ｗ遠赤外線ヒーターの前面１５０ｍｍの位置に、黒色ガルバリウム鋼板（登録商標）１００Ｗ×1００Ｈ×０.５Ｔ試験体を、黒色面がヒーター側になる様２枚並べて設置した。
１枚は黒色ガルバリウム鋼板（登録商標）そのままの遮熱未施工品、もう１枚はヒーター側を表面に特殊印刷した遮熱材ＴＨＢ−Ｍを貼り輻射熱を照射した。
温度測定は遮熱未施工品のヒーター側温度を基準とし、ここの温度が約１０℃上がる毎の各試験体の裏面温度をサーモレコーダーで測定した。
尚、この試験は屋根温度を基本に考えているので、黒色ガルバリウム鋼板（登録商標）そのままの遮熱未施工品のヒーター側表面温度はＭＡＸ９０℃とした。
【００２９】
[結果１]
【００３０】
【表１】
0006035667.tif 000002
【００３１】
【表２】
0006035667.tif 000003
【００３２】
[考察１]
ガルバリウム鋼板（登録商標）温度が９０℃の時、遮熱未施工品裏面温度は８９．８℃に対し、特殊印刷を施工した遮熱材ＴＨＢ−Ｍ貼り付け品は５０．３℃と３９．５℃も低い温度で、遮熱性能が非常に高いことが解る。
【００３３】
［遮熱試験２］
遮熱試験１と同様のヒーターを用い、表面に白色プリントの特殊印刷を施した遮熱材ＴＨＢ−Ｍをガルバリウム鋼板（登録商標）１００Ｗ×１００Ｈ×０．５Ｔに接着した試験体の屋内側の温度を測定した。
尚、表３及び表４において、「１：ガルバ温度表面温度」は印刷を行っていないガルバリウム鋼板（登録商標）のヒーターと対向する表面の温度である。また、「２：ガルバ温度裏面温度」は印刷を行っていないガルバリウム鋼板（登録商標）のヒーターと対向していない裏面の温度である。また、「３：ガルバ裏面温度」は上記の白色プリントを施したガルバリウム鋼板（登録商標）のヒーターと対向していない裏面の温度である。
【００３４】
【表３】
0006035667.tif 000004
【００３５】
【表４】
0006035667.tif 000005
【００３６】
［考察２］
夏場の鋼板性屋根材は８０℃近くになることを想定した試験であるが、熱源側が８０．１℃のとき、白色プリントを施した室内側温度は４４．２℃で３５．９℃も低下していることが解かる。
【００３７】
［遮熱試験３］
遮熱試験１と同様のヒーターを用い、遮熱材ＴＨＢ−Ｍの表面にベージュ色の高透過樹脂を積層させたラップ遮熱材をガルバリウム鋼板（登録商標）１００Ｗ×１００Ｈ×０．５Ｔに接着した試験体の屋内側の温度を測定した。この素材は、紫外線に強いことが予備試験で解っている。
尚、表５及び表６において、「１：ガルバ温度表面温度」は印刷を行っていないガルバリウム鋼板（登録商標）のヒーターと対向する表面の温度である。また、「２：ガルバ温度裏面温度」は印刷を行っていないガルバリウム鋼板（登録商標）のヒーターと対向していない裏面の温度である。また、「３：ガルバ裏面温度」は上記のベージュ色遮熱材を表面に接着したガルバリウム鋼板（登録商標）のヒーターと対向していない裏面の温度である。
【００３８】
【表５】
0006035667.tif 000006
【００３９】
【表６】
0006035667.tif 000007
【００４０】
［考察３］
夏場の鉄板屋根の最高温度である約８０℃の熱を照射したとき、ラップ遮熱材を施工した室内側鉄板温度は３６．２℃で、ヒーターと対向する表面側の温度よりも４３．８℃も低いことが解かった。
ヒーターと対向する表面が最高温度８０．０℃のとき、ラップ遮熱材を施工していない場合の室内側（裏面）温度は６９．５℃で、施工した場合の室内側温度は３６．２℃となり、３３．３℃も低いことが解かる。
【００４１】
［遮熱試験４］
遮熱試験１と同様のヒーターを用い、ラップ遮熱材ＴＨＢ−ＷＢＬ(ＴＨＢ−Ｃ＋青色高透過樹脂)を種々の素材の表面に貼り、輻射熱を照射した場合の素材表面温度を測定した。
【００４２】
（１）コンクリートブロック
コンクリートブロックの表面が約５０℃になった場合の、ラップ遮熱材の表面温度を測定した。コンクリート表面の温度が５０．４℃のとき、ラップ遮熱材の表面温度は２７．４℃であり、遮熱材表面は２３．０℃低くなることが解かった。
【００４３】
（考察）
ビルの屋上を想定して温度を５０℃に設定したが、表面温度は２３℃も低下させることが出来た。実際には、気温はもっと高くなるが、それでも大幅な温度低下が可能であると考えられる。
【００４４】
（２）スレート型屋根材
スレート型屋根材の表面温度を約６０℃位にしたときの、ラップ遮熱材表面の温度を測定した。スレート屋根材の表面温度が６０．１℃のとき、ラップ遮熱材の表面温度は３１．８℃であり、遮熱材表面は２８．３℃低くなることが解かった。
【００４５】
（考察）
工場等のスレート屋根の夏場の温度を想定して６０℃の状態で測定したが、表面の温度差が２８．３℃となり、非常に大きな効果があることが解る。
【００４６】
（３）折板屋根材
折板屋根材の表面温度が８０℃のときの、ラップ遮熱材の表面温度を測定した。折板屋根材の表面温度が８０．６℃のとき、ラップ遮熱材の表面温度は３７．４℃であり、遮熱材表面は４３．２℃低くなることが解かった。
【００４７】
（考察）
夏場の鉄板屋根最高温度である８０℃を想定して測定を行ったが、表面の温度が４３．２℃も低下した。
【００４８】
［遮熱試験５］
遮熱紙面１等と同様のヒーターを用い、遮熱材表面に青色高透過樹脂を施工した遮熱材ＴＨＢ-ＷＢＬと、更にこの遮熱材ＴＨＢ−ＷＢＬの表面にエンボス処理により乱反射を増やした遮熱材との性能評価を行った。当然の事ながら、乱反射を増やすと眩しさが減少するのでその効果を調査する。
尚、ここで使用したガルバリウム鋼板（登録商標）は１００Ｗ×１００Ｈ×０．５Ｔの大きさである。
【００４９】
（考察）
エンボス加工を施していない遮熱材と、エンボス加工を施していない遮熱材とを並べて、ヒーターと対向する各遮熱材の表面を観察すると、エンボス加工を施した遮熱材ＴＨＢ−ＷＢＬは、明らかに表面が白身がかって見え、太陽光に当てても反射が和らいで眩しさは少ない。
しかし、ヒーター（熱源）に対する裏面側の温度を測定すると、乱反射していないものとの差は殆ど無い。即ち、エンボス処理を施した場合、眩しさを和らげる効果は非常に大きいが、断熱性能には影響がないことが解る。
【符号の説明】
【００５０】
１  屋外用遮熱材
２  印刷や塗装等によるプリント層或いは輻射熱の高透過樹脂層
３  アルミホイル等輻射熱に対して高反射率の素材
４  不繊布や樹脂シート等或いはガラスクロス等補強材
５  接着層
６  剥離紙
７  折板屋根材
８  凸部
９  凹部
【要約】
建物の屋根や外壁に、室外側から遮熱材を施工し断熱性を高めることが出来る遮熱構造を提供する。
アルミホイル等輻射熱に対して高反射率の素材３の片面に印刷や塗装等によりプリントされた遮熱材を、屋根や壁の室外側に直接貼り付ける。【図１】
0006035667.tif 000008
【図２】
0006035667.tif 000009
【図３】
0006035667.tif 000010